(57)【要約】      （修正有）【課題】アルミサッシと室内の中間の窓枠のわずかな空間に後付けで容易に取り付けることができ、引き戸が外れないようにするための室内外に突出する別部材を必要としない建具を提供する。【解決手段】窓枠の天井面に内接する上枠部と、窓枠の床面に内接する下枠部と、窓枠の左壁面に内接する左枠部と、窓枠の右壁面に内接する右枠部とからなる枠材と、枠材内において互い違いに左右方向へ摺動自在に取り付けられる２枚の引き戸とを有する。２枚の引き戸のそれぞれは、上端面および下端面に溝を有し、上枠部と、下枠部とは、それぞれが引き戸のそれぞれの溝にゆるやかに嵌め込まれて引き戸を左右方向にガイドするための一対のレールを有する。【選択図】図１
0003154218.tif 000002
【実用新案登録請求の範囲】
【請求項１】
既設の窓枠に後付けにより取付け可能な建具であって、
前記窓枠の天井面に内接する上枠部と、
前記窓枠の床面に内接する下枠部と、
前記窓枠の左壁面に内接する左枠部と、
前記窓枠の右壁面に内接する右枠部と、
からなる枠材と、
前記枠材内において互い違いに左右方向へ摺動自在に取り付けられる２枚の引き戸と、
を有し、
前記２枚の引き戸のそれぞれは、上端面および下端面に溝を有し、
前記上枠部と、前記下枠部とは、それぞれが前記引き戸のそれぞれの溝にゆるやかに嵌め込まれて前記引き戸を左右方向にガイドするための一対のレールを有することを特徴とする建具。
【請求項２】
前記２枚の引き戸の一方は、左端面に溝を有し、
前記２枚の引き戸の他方は、右端面に溝を有し、
前記左枠部は、前記２枚の引き戸の一方を閉めた状態の時に、前記２枚の引き戸の一方の左端面の溝に嵌装されて前記２枚の引き戸の一方を自身に密着させるためのレールを有し、
前記右枠部は、前記２枚の引き戸の他方を閉めた状態の時に、前記２枚の引き戸の他方の右端面の溝に嵌装されて前記２枚の引き戸の他方を自身に密着させるためのレールを有することを特徴とする請求項１に記載の建具。
【請求項３】
前記引き戸は障子である請求項１または２に記載の建具。
【請求項４】
前記枠材の前後の幅の寸法が約５５ｍｍである請求項１から３のいずれか一に記載の建具。
【考案の詳細な説明】
【技術分野】
【０００１】
本件考案は、建具に関し、特に、既設の窓枠に後付けにより取付け可能な建具に関する。
【背景技術】
【０００２】
ワンルームマンションやアパートなどにおいては、一般に、戸外に面した壁の一部に開口部を設けてアルミサッシなどの窓が取り付けられる。また、アルミサッシなどの窓の内側にさらに木製などの枠（本明細書において「窓枠」という）が設けられ、ここに後付けによって障子などの建具を取り付けられるようにしたものも多く見られる。この場合、窓枠の外側にアルミサッシなどの窓が取り付けられることが多いが、窓枠の中にアルミサッシ窓を取り付けるとともに、合わせて後付けにより取り付けられる建具用のスペースも確保されている例も見られる。
【０００３】
図７は、従来の窓の一例を示す図である。本図は、窓枠の外側にアルミサッシなどの窓が取り付けられる場合の例を示したものである。なお、本図は、かかる場合における窓枠、アルミサッシ窓、アルミサッシ用窓枠などの位置関係を示すためにこれらを模式的に図示したものであり、必ずしも実際の窓枠やアルミサッシ窓、アルミサッシ用窓枠などの形状を忠実に示したものではない。このうち（ａ）は、窓を含む部屋の一角を示す斜視図である。また、（ｂ）は、（ａ）のＣ−Ｃ線断面図（窓枠の部屋側の端面に接して垂直に通過する線で窓面に直行する方向に切断した断面を示す。なお、上下の壁の一部の図示を省略した）である。この図に示すように、壁０７４１の一部に開口部を設けてアルミサッシ用窓枠０７４３ａが取り付けられ、ここにアルミサッシ窓０７４３が取り付けられている。また、アルミサッシ窓の内側に窓枠０７４２がはめ込まれ、この窓枠によって後付けで別の建具を取り付けるための空間（本図（ｂ）において概ね破線で囲んだ部分０７４５）が確保されている。
【０００４】
このような部屋においては、外部から室内が見えないように、あるいは窓から外の殺風景な景色が見えないように目隠しをするため、通例は窓枠の内側にカーテンが取り付けられる。このカーテンは、断熱や遮音の効果も一定程度果たしている。しかし、部屋の雰囲気をより落ち着いた優雅な雰囲気とするために、また、断熱効果や遮音効果をより高めるために、上述の窓枠を利用して、アルミサッシ窓と室内の中間に後付けによって障子などの建具を取り付けるということも行われている。
【０００５】
例えば、特許文献１には、サッシよりも室内側の既設の額縁（窓枠）に後付けにより障子構造を提供する技術が開示されている。具体的には、左右両側の額縁に縦枠部材を固定し、縦枠部材の見込み内に上枠部材及び下枠部材を差し込み、それぞれ上下の額縁にねじで固定し、障子框（しょうじかまち）に樹脂パネルが嵌め込まれた障子戸を枠部材内に嵌め込む障子構造が開示されている（特許文献１参照）。
【先行技術文献】
【特許文献】
【０００６】
【特許文献１】特開２００２−２６６５５７号公報
【考案の開示】
【考案が解決しようとする課題】
【０００７】
一般にアルミサッシと室内の中間に生じる窓枠の空間の幅は狭く、概ね６０ｍｍ程度である。一方、障子などの引き戸の幅は、構造強度上、経験的に少なくとも２４ｍｍ程度とならざるを得ないため、２枚の引き戸を互いに滑らかに摺動可能にするために２枚の引き戸の間に３ｍｍ程度の隙間を設けた場合、２枚の引き戸の占める幅だけで５１ｍｍ程度以上とならざるを得ない。
【０００８】
この点、従来の方法では、引き戸（障子戸など）を枠部材内に直接嵌め込むようにしているため、引き戸を摺動させる際に、引き戸が枠から外れないようにするため、引き戸を枠に係止するための部材を別途取り付ける必要がある。
【０００９】
図８は、従来の方法による建具の既設の窓枠への取付け構造の一例を示す図であって、引き戸が枠から外れないようにするために取り付ける別部材近傍の拡大断面図である。本図は、窓枠０８４２に取り付ける２枚の引き戸０８２０、０８３０が窓枠から外れないようにするため引き戸の上端と窓枠の間に引き戸を係止するための別部材０８４６を取り付けた状態を窓枠の左側面方向から見た垂直断面で示したものである。本図の例では、別部材には、一対の溝０８４７、０８４８が設けられ、各溝の外側の部分０８４９、０８５０が引き戸を係止する役目を果たしている。
【００１０】
しかし、このような従来の方法は、第一に、取り付けのための工事が煩雑である。
【００１１】
また、第二に、寸法上の問題がある、即ち、この場合、上述のように、引き戸の幅を仮に２４ｍｍ程度としても、２枚の引き戸を互いに滑らかに摺動可能にするために２枚の引き戸の間に３ｍｍ程度の隙間を設ける場合、２枚の引き戸の占める幅だけで５１ｍｍ程度となる。これに加え、２枚の引き戸を係止するための各溝の外側の部分０８４９、０８５０が強度上最低でも１０ｍｍ程度の幅を占めることおよび引き戸と当該係止部分との間に滑らかに摺動可能にするための１ｍｍ程度の隙間を設けることを加味すると、別部材の幅は７３ｍｍ程度となり、窓枠の幅である概ね６０ｍｍ程度を大きくはみ出すことになる（図８参照。ただし、本図は概念図であるため、必ずしも正確に寸法比率を反映していない）。この別部材の幅は、引き戸の溝に嵌め込む部分の幅を狭くすることである程度圧縮可能であるが、引き戸の構造強度から限度があり、窓枠の幅を上回ってしまうことに変わりはない。このため、別部材が窓枠からはみ出す形で室内外に突出する形となるため、見栄えも悪く、人がぶつかって怪我をするおそれもある。また、このように別部材が窓枠の幅から大きくはみ出すことの結果、窓枠の内側にカーテンを取り付けることも困難となる。
【００１２】
そこで本考案の解決すべき課題は、アルミサッシと室内の中間の窓枠のわずかな空間に後付けで簡単な工事で容易に取り付けることができ、しかも引き戸が外れないようにするための室内外に突出する別部材を必要としない障子などの建具を提供し、もって、部屋の雰囲気をより落ち着いた優雅な雰囲気とし、また、断熱、遮音などの効果を簡単に実現できるようにすることにある。
【課題を解決するための手段】
【００１３】
以上の課題を解決するため、第一の考案は、既設の窓枠に後付けにより取付け可能な建具であって、前記窓枠の天井面に内接する上枠部と、前記窓枠の床面に内接する下枠部と、前記窓枠の左壁面に内接する左枠部と、前記窓枠の右壁面に内接する右枠部とからなる枠材と、前記枠材内において互い違いに左右方向へ摺動自在に取り付けられる２枚の引き戸とを有し、前記２枚の引き戸のそれぞれは、上端面および下端面に溝を有し、前記上枠部と、前記下枠部とは、それぞれが前記引き戸のそれぞれの溝にゆるやかに嵌め込まれて前記引き戸を左右方向にガイドするための一対のレールを有することを特徴とする建具を提供する。
【００１４】
また、第二の考案は、第一の考案を基礎として、前記２枚の引き戸の一方は、左端面に溝を有し、前記２枚の引き戸の他方は、右端面に溝を有し、前記左枠部は、前記２枚の引き戸の一方を閉めた状態の時に、前記２枚の引き戸の一方の左端面の溝に嵌装されて前記２枚の引き戸の一方を自身に密着させるためのレールを有し、前記右枠部は、前記２枚の引き戸の他方を閉めた状態の時に、前記２枚の引き戸の他方の右端面の溝に嵌装されて前記２枚の引き戸の他方を自身に密着させるためのレールを有することを特徴とする建具を提供する。
【００１５】
また、第三の考案は、第一の考案または第二の考案を基礎として、前記引き戸は障子である建具を提供する。
【００１６】
また、第四の考案は、第一から第三のいずれか一の考案を基礎として、前記枠材の前後の幅の寸法が約５５ｍｍである建具を提供する。
【考案の効果】
【００１７】
本考案により、アルミサッシと室内の中間の窓枠のわずかな空間に後付けで簡単な工事で容易に取り付けることができ、しかも引き戸が外れないようにするための室内外に突出する別部材を必要としない障子などの建具を提供し、もって、部屋の雰囲気をより落ち着いた優雅な雰囲気とし、また、断熱、遮音などの効果を簡単に実現することが可能となる。
【図面の簡単な説明】
【００１８】
【図１】実施例１の建具の形状の一例を示す斜視図
【図２】実施例１の建具の形状の一例を示す斜視図
【図３】実施例１の枠材の形状の一例を示す斜視図
【図４】上枠部および下枠部のレールの形状の一例を示すための拡大断面図
【図５】実施例２の建具を構成する引き戸および枠材の形状の一例を示す図
【図６】実施例２の建具を構成する引き戸および枠材の形状の一例を示す図
【図７】従来の窓の一例を示す図
【図８】従来の方法による建具の既設の窓枠への取付け構造の一例を示す図
【符号の説明】
【００１９】
０１００      建具
０１１０      枠材
０１１１      上枠部
０１１２      下枠部
０１１３      左枠部
０１１４      右枠部
０１２０      引き戸の一方
０１３０      引き戸の他方
【考案を実施するための形態】
【００２０】
以下に、本考案の実施例を説明する。実施例と請求項の相互の関係については、実施例１は主に請求項１、３、４などに関し、実施例２は主に請求項２などに関する。なお、本考案はこれら実施例に何ら限定されるものではなく、その要旨を逸脱しない範囲において、種々なる態様で実施しうる。
【実施例１】
【００２１】
<概要>
【００２２】
本実施例の建具は、既設の窓枠に後付けにより取付け可能な建具であって、長方形の枠を構成する上下左右の四個の枠部と、当該枠材内において互い違いに左右方向へ摺動自在に取り付けられる２枚の引き戸とを有する建具である。そして、本実施例の建具は、各引き戸が上下端面に溝を有し、上下枠部が引き戸の溝にゆるやかに嵌め込まれて引き戸を左右方向にガイドするための一対のレールを有することを特徴とする。
【００２３】
<構成>
【００２４】
（全般）
【００２５】
図１は、本実施例の建具の形状の一例を示す斜視図である。本図は、室内側から見た図である。本図に示すように、本実施例の建具０１００は、枠材０１１０と２枚の引き戸０１２０、０１３０とからなる。また、枠材は上枠部０１１１、下枠部０１１２、左枠部０１１３および右枠部０１１４からなる。本図は、２枚の引き戸が枠材に取り付けられた状態である。枠材の寸法を既設の窓枠の寸法に合わせることで、当該建具をこの状態のまま既設の窓枠に取り付けて使用することができる。本図には示していないが、引き戸の中央部分などに鍵を取り付けてもよい。
【００２６】
本図には明瞭に現れていないが、後述するように、枠材の上枠部と下枠部にはレールが設けられている。また、２枚の引き戸のそれぞれの上端面と下端面には溝が設けられている。そこで、２枚の引き戸を枠材に嵌め込むだけで引き戸が外れないようになっている。
【００２７】
（枠材）
【００２８】
枠材は、既述のように、上枠部、下枠部、左枠部および右枠部からなり、これらによって長方形の枠として形成されているものである。
【００２９】
枠材は、既設の窓枠にぴったりと嵌め込むことができるように既設の窓枠の寸法に合わせた寸法で形成される。即ち、枠材のうち、上枠部は既設の窓枠の天井面に内接するように構成され、下枠部は既設の窓枠の床面に内接するように構成され、左枠部は既設の窓枠の左壁面に内接するように構成され、右枠部は既設の窓枠の右壁面に内接するように構成される。
【００３０】
図２は、図１と同様、本実施例の建具の形状の一例を示す斜視図であるが、図１と異なり、本実施例の建具を既設の窓枠とともに示したものである。このうち、（ａ）は、本実施例の建具を既設の窓枠０２４２に嵌め込んだ状態を示したものである。なお、既設の窓枠は、実際には壁に埋め込まれた状態になっているものであるが、本図では見やすくするために壁の図示は省略した。（ｂ）は既設の窓枠の各部の名称を説明するための参考図であり、本図において、窓枠は上下左右の四周を囲む４本の部材からなるが、下部に水平方向に渡された板（敷居）０２４２ｂの上面が床面０２５２であり、本図には現れないが、上部に水平方向に渡された板（鴨居）０２４２ａの下面、即ち、床面に対向する面が天井面０２５１である。また、右部に垂直方向に立設した板（右壁板）０２４２ｄの左側面が右壁面０２５４であり、本図には現れないが、左部に垂直方向に立設した板（左壁板）０２４２ｃの右側面、即ち、右壁面に対向する面が左壁面０２５３である。
【００３１】
なお、本考案の建具が取り付けられる窓枠は、窓を取り付けるための枠であるが、ここでいう窓は、通例そこから室外との出入りをすることが想定されない狭義の窓に限らず、通例そこからベランダなどの室外との出入りをすることが想定される開口も含む概念である。従って、この窓枠に取り付けられる建具も、概ね人の腰の位置より上に取り付けられるいわゆる腰窓のようなものから、部屋の床面から概ね人の全身に対応する位置もしくはそれ以上に達する位置に取り付けられる出入り用の扉のようなものまでを広く含む。
【００３２】
図３は、本実施例の枠材の形状の一例を示す斜視図である。本図は、図１および図２で示した建具を構成している枠材の形状の例を示したものである。枠材の材料は問わないが、一般には、マツ、サクラ、ヒノキなどの木製、アルミニウムなどの金属製あるいは樹脂製のものが考えられる。
【００３３】
本図に示すように、枠材０３１０の下枠部０３１２には一対のレール０３１２ａ、０３１２ｂが備えられている。また、本図には現れないが、上枠部０３１１にも下枠部と同様の一対のレールが備えられている。
【００３４】
当該一対のレールは、それぞれが前記引き戸のそれぞれの溝にゆるやかに嵌め込まれて引き戸を左右方向にガイドするためのものである。レールは、下枠部に切り出す形で下枠部と一体的に成形されてもよいし、後から別部材を下枠部に接着剤で貼りつけるなどにより取り付ける形で成形されてもよい。
【００３５】
図４は、上枠部および下枠部のレールの形状の一例を示すための拡大断面図である。このうち上枠部について示す（ａ）は、図３のＢ−Ｂ線断面図（上枠部の上端面に接して前後方向に水平に通過する線で垂直に切断した断面を示す）の一部（上枠部近傍）であり、下枠部について示す（ｂ）は、図３のＢ−Ｂ線断面図の一部（下枠部近傍）である。レールの素材には限定はないが、別部材を下枠部に接着剤などで貼りつける場合には、レールがはがれにくいようにするため、好適には樹脂が用いられる。
【００３６】
本図において、破線は引き戸の位置を示す。このようにレールは引き戸との間に僅かな隙間が生じるように引き戸の溝にゆるやかに嵌め込まれるようになっている。これは引き戸が枠材から脱落しないようにしつつ、引き戸を滑りやすくするためである。上枠部のレールは、好適には、下枠部のレールよりもやや高く形成される。これは、引き戸の脱落防止のためであり、本図の例もこのように上枠部のレールの方が下枠部のレールよりもやや高く形成されている例が示されている。
【００３７】
レールの形状には限定はなく、本図（ａ）、（ｂ）に示したように断面が略長方形のものでもよい。あるいは、引き戸を滑りやすくするために、特に下枠部のレールは、引き戸との接触面積を小さくすることが望ましいことから、例えば、図４（ｃ）に示すような断面が略コの字形状のレールを用いてもよい。
【００３８】
（引き戸）
【００３９】
引き戸は、枠材内において互い違いに左右方向へ摺動自在に取り付けられる２枚の部材である。
【００４０】
２枚の引き戸のそれぞれは、上端面および下端面に溝を有する。この溝は、前述の枠材の上枠部と下枠部にそれぞれ設けられる一対のレールがゆるやかに嵌め込まれることで、引き戸が当該レールによって左右方向にガイドされることを可能にするためのものである。
【００４１】
引き戸の溝の形状の一例は、前出の図４においてレールの形状とともに示したとおりである。同図に示したレールの好適な形状に対応して、引き戸の溝も好適には、上端面に設けられる溝の方が下端面に設けられる溝よりもやや深く形成される。
【００４２】
引き戸は曇りガラスをはめ込んだガラス戸などであってもよいが、障子であってもよい。前出の図１でも、引き戸が障子である例を示した。引き戸を障子とすることで、部屋を落ち着いた優雅な雰囲気にすることができる。従来、ワンルームマンションやアパートにおいて既設の窓枠を利用した簡単な工事でこのような雰囲気を作り出すことは困難であったので、このような雰囲気を簡単に醸成できる建具を提供可能にしたことは、本考案の優れた効果である。
【００４３】
引き戸を障子とする場合、木製の桟に和紙（障子紙）を貼り付けたものでもよいが、和紙に代えてポリカーボネイドなどの樹脂製の中空構造のパネル等を用いてもよい。ポリカーボネイドなどを用いた場合には、和紙を用いた場合と同様の適度な遮光性に加え、遮音性や断熱性にも優れた建具（障子）を提供することが可能となる。また、断熱性に優れる結果、冷暖房費の節約といった省エネ効果・経済効果を得ることも可能となる。さらに、ポリカーボネイドは、ガラスや紙のように容易に破壊することができないため、防犯効果にも優れた効果を発揮することができる。
【００４４】
（建具の寸法）
【００４５】
本考案の建具は、既設の窓枠の寸法に合わせて設計可能なものであり、既述のように腰窓のようなものから出入り用の扉まで広い範囲のものに対応可能であるため、建具の寸法に特に限定はない。一例を挙げれば、図２に示した障子は、図７に示したような一般的なワンルームマンションなどの居室の窓枠に取り付けることを想定したものであり、この場合の寸法は、枠材の高さ（縦の長さ）が９００ｍｍ程度、枠材の横幅（横の長さ）が１８００ｍｍ程度である。
【００４６】
一方、ワンルームマンションやアパートなどに既設されている窓枠の建具を配置可能な空間は、一般に幅６０ｍｍ程度の範囲に限られているため、本考案の建具は、このような狭い空間にも取り付けが可能な寸法に規制される。具体的には、枠材の前後の幅の寸法が６０ｍｍ未満であることが望ましく、最も好適には、このような幅の狭い空間に若干の余裕をもってはめ込むことができるよう、約５５ｍｍであることが望ましい。この場合、引き戸の幅は２４ｍｍ程度となり、また、引き戸の溝をガイドする上枠部の一対のレールのそれぞれは、高さ１８ｍｍ程度、幅８ｍｍ程度である。
【００４７】
<効果>
【００４８】
本実施例の考案により、アルミサッシと室内の中間の窓枠のわずかな空間に後付けで簡単な工事で容易に取り付けることができ、しかも引き戸が外れないようにするための室内外に突出する別部材を必要としない障子などの建具を提供し、もって、部屋の雰囲気をより落ち着いた優雅な雰囲気とし、また、断熱、遮音などの効果を簡単に実現できる。
【実施例２】
【００４９】
<概要>
【００５０】
本実施例の建具は、実施例１の建具の引き戸の側面に溝を設けるとともに、枠材の側壁にレールを設け、これにより引き戸と枠材を密着させることで、より遮音効果、断熱効果（ひいては省エネ効果・経済効果）を高めたことを特徴とするものである。
【００５１】
<構成>
【００５２】
（全般）
【００５３】
本実施例の建具は、実施例１の建具を基礎とするものであるが、２枚の引き戸の一方は、左端面に溝を有し、２枚の引き戸の他方は、右端面に溝を有し、左枠部は、２枚の引き戸の一方を閉めた状態の時に、２枚の引き戸の一方の左端面の溝に嵌装されて２枚の引き戸の一方を自身に密着させるためのレールを有し、右枠部は、２枚の引き戸の他方を閉めた状態の時に、２枚の引き戸の他方の右端面の溝に嵌装されて２枚の引き戸の他方を自身に密着させるためのレールを有する。平たく言えば、２枚の引き戸の閉めたときに枠材に接する面に溝を設けるとともに、枠材の左右枠部にもレールを設け、引き戸を閉めた状態の時に、溝とレールが密着するようにしたものである。
【００５４】
（引き戸）
【００５５】
本実施例において、２枚の引き戸のうち、閉めた状態で室内側から見て左側に位置する引き戸を「引き戸の一方」といい、右側に位置する引き戸を「引き戸の他方」という。前出の図１でいえば、左側に現れている引き戸０１２０が引き戸の一方、右側に現れている引き戸０１３０が引き戸の他方である。引き戸の形状の一例は次に述べる枠材の形状の一例とともに示す（後出の図５、図６参照）。
【００５６】
（枠材）
【００５７】
本実施例において、枠材の左枠部は、２枚の引き戸の一方を閉めた状態の時に、２枚の引き戸の一方の左端面の溝に嵌装されて２枚の引き戸の一方を自身に密着させるためのレールを有する。右枠部は、２枚の引き戸の他方を閉めた状態の時に、２枚の引き戸の他方の右端面の溝に嵌装されて２枚の引き戸の他方を自身に密着させるためのレールを有する。
【００５８】
図５は、本実施例の建具を構成する引き戸および枠材の形状の一例を示す図である。このうち（ａ）は、図１のＡ−Ａ線断面図（左枠部の左端面に接して前後方向に水平に通過する線で左右方向に水平に切断した断面を示す）の一部（左枠部近傍）であって、引き戸の一方と左枠部の形状例を示す拡大断面図である。本図に示すように、引き戸の一方０５２０は、左端面に溝０５２１を有する。（ｂ）は、引き戸の他方の形状例を示す。本図に示すように、引き戸の他方０５３０は、右端面に溝０５３１を有する。また、左枠部は、引き戸の一方を閉めた状態の時に、２枚の引き戸の一方の左端面の溝に嵌装されて２枚の引き戸の一方を自身に密着させるためのレール０５５５を有する。
【００５９】
あるいは、２枚の引き戸が左右互換可能なものである場合には、２枚の引き戸のそれぞれの左右両端面に溝を設けるとともに、これに見合う左右枠部のレールを設けてもよい。
【００６０】
図６は、本実施例の建具を構成する引き戸および枠材の形状の別の一例を示す図であって、このような２枚の引き戸が左右互換可能なものである場合の例を示す。本図に示すように、引き戸の一方０６２０、他方０６３０とも、左右両端面にそれぞれ溝０６２１、０６３１を有する。また、左枠部０６４２ｃは、引き戸のどちらにも対応して、引き戸を自身に密着させるための一対のレール０６５５を有する。同様に、右枠部０６４２ｄも、引き戸のどちらにも対応して、引き戸を自身に密着させるための一対のレール０６５６を有する。なお、かかる場合における左右枠部に設けられるレールの好適な寸法の一例は、高さが５ｍｍ程度、幅が８ｍｍ程度である。
【００６１】
<効果>
【００６２】
本実施例の考案により、引き戸と枠材を密着させることで、より遮音、断熱効果（ひいては省エネ効果・経済効果）を高めることが可能となる。
【図１】
0003154218.tif 000003
【図２】
0003154218.tif 000004
【図３】
0003154218.tif 000005
【図４】
0003154218.tif 000006
【図５】
0003154218.tif 000007
【図６】
0003154218.tif 000008
【図７】
0003154218.tif 000009
【図８】
0003154218.tif 000010